(57)【特許請求の範囲】
【請求項１】
カード型の磁気記録媒体に接触して磁気データの読み取り及び／又は書き込みを行う磁気ヘッドと、
前記磁気ヘッドに対向して設けられ、前記磁気記録媒体と前記磁気ヘッドとを接触させる対向部材と、
前記対向部材を保持し、当該対向部材を回動させる回動軸を一端に備え、当該回動軸とは反対側の他端にロック部材を備えて前記磁気記録媒体の搬送路を横断する部材であって、当該対向部材を使用位置に固定すると共に前記対向部材を退避位置に移動して前記磁気ヘッドの接触面を露出させる保持部材と、を備え、
前記ロック部材は前記搬送路両側の装置枠体の一方の側に設けられた係止部に係合するとともに、該ロック部材が該係止部から外れたときは前記保持部材は搬送路両側の装置枠体の他方の側に設けられた前記回動軸を中心に回動して前記対向部材を持ち上げて前記退避位置に移動できる、ことを特徴とする磁気カード処理装置。
【請求項２】
前記対向部材が、パッドローラであることを特徴とする請求項１に記載の磁気カード処理装置。
【請求項３】
前記対向部材が、前記磁気ヘッドが接触する磁気記録媒体の面の反対面に接触する第２の磁気ヘッドであることを特徴とする請求項１に記載の磁気カード処理装置。
【請求項４】
前記ロック部材が、磁気カード処理装置の枠体に固定された係止部に係合する係合部と、当該係合部と前記係止部との間に相対的な付勢力を与えるバネと、を備えることを特徴とする請求項１〜３のいずれか１項に記載の磁気カード処理装置。
【請求項５】
前記保持部材により前記対向部材が前記使用位置に保持されていることを示す信号を出力するセンサを備えたことを特徴とする請求項１〜４のいずれか１項に記載の磁気カード処理装置。
【発明の詳細な説明】
【技術分野】
【０００１】
本発明は、クレジットカード、プリペイドカード、キャッシュカード等のカード型の磁気記録媒体の磁気データを処理する磁気カード処理装置に関し、特に、磁気ヘッド及び磁気カード処理装置のメンテナンス性を向上させる磁気カード処理装置の構造に関するものである。
【背景技術】
【０００２】
磁気記録媒体に記録されている磁気データを処理する磁気カード処理装置は、長期間の使用により、磁気データの読み取り／書き込みを行う磁気ヘッドに汚れが付着したり、磁気記録媒体に接触する磁気ヘッドの接触面に摩耗が発生したりする。磁気ヘッドに汚れが付着したり、磁気ヘッドの接触面の摩耗が進行したりして使用限界を超えると、磁気データの読み取り／書き込みを正常に行うことができなくなる。そのため、磁気カード処理装置のメンテナンス時には、磁気ヘッドの摩耗状況を観察し、必要に応じて、磁気ヘッドの接触面の清掃や、磁気ヘッドの交換作業が行われる。
【０００３】
磁気ヘッドの接触面の状態を観察する際、従来は、磁気ヘッド又は磁気ヘッドを組み付けてあるアッセンブリー部品を取り外して確認しなければならないという問題があった。
【０００４】
こうした問題に対し、磁気ヘッドに対向して設けられている対向ローラを、その対向ローラの回転軸に対してスライド自在に装着し、かつ、磁気ヘッドをヘッド押圧バネの力により対向ローラ側へ押圧付勢するように構成した磁気カードリーダライタが提案されている（例えば特許文献１を参照。）。この磁気カードリーダライタは、磁気ヘッドの汚れを除去する等のメンテナンスを行う際に、対向ローラを回転軸に沿ってスライドさせ、磁気ヘッドの上方を開放させることによって、磁気カードに接触摺動する磁気ヘッドの接触面を簡単に清掃することができるとされている。
【特許文献１】特開平７−１７５８９６号公報（段落番号００１６、第４図）
【発明の開示】
【発明が解決しようとする課題】
【０００５】
しかしながら、上記特許文献１に記載の磁気カードリーダライタは、対向ローラを回転軸に沿ってスライドさせた場合であっても、清掃する磁気ヘッドの真上には依然としてローラ軸が存在するので、磁気ヘッドの接触面の摩耗状況や汚れ状況の観察が難しく、磁気ヘッドの清掃も容易とはいえないものであった。
【０００６】
一方、磁気ストライプが両面に設けられている磁気記録媒体に対応した磁気カード処理装置の場合には、それぞれの磁気ストライプに対応した磁気ヘッドの摩耗状況の確認作業や清掃作業は極めて難しいものであった。
【０００７】
本発明は、上記課題を解決するためになされたものであって、その目的は、磁気ヘッドの接触面の点検や清掃作業を容易に行うことができる磁気カード処理装置を提供することにある。
【課題を解決するための手段】
【０００８】
上記課題を解決するための本発明の磁気カード処理装置は、カード型の磁気記録媒体に接触して磁気データの読み取り及び／又は書き込みを行う磁気ヘッドと、前記磁気ヘッドに対向して設けられ、前記磁気記録媒体と前記磁気ヘッドとを接触させる対向部材と、前記対向部材を保持し、当該対向部材を回動させる回動軸を一端に備え、当該回動軸とは反対側の他端にロック部材を備えて前記磁気記録媒体の搬送路を横断する部材であって、当該対向部材を使用位置に固定すると共に前記対向部材を退避位置に移動して前記磁気ヘッドの接触面を露出させる保持部材と、を備え、
前記ロック部材は前記搬送路両側の装置枠体の一方の側に設けられた係止部に係合するとともに、該ロック部材が該係止部から外れたときは前記保持部材は搬送路両側の装置枠体の他方の側に設けられた前記回動軸を中心に回動して前記対向部材を持ち上げて前記退避位置に移動できる、ことを特徴とする。
【０００９】
この発明によれば、磁気カード処理装置のメンテナンス時に、保持部材が備える回動軸とロック部材とで、対向部材の固定と退避を行うことができ、対向部材を退避位置に移動して磁気ヘッドの接触面を露出させることができる。その結果、磁気ヘッドの接触面の摩耗状況を容易に確認することができると共に、磁気ヘッドの接触面の清掃を容易に行うことができる。
【００１０】
本発明の磁気カード処理装置において、前記対向部材が、パッドローラであることを特徴とする。
【００１１】
この発明によれば、磁気カード処理装置のメンテナンス時に、対向部材であるパッドローラを退避位置に移動して磁気ヘッドの接触面を露出させることができる。
【００１２】
本発明の磁気カード処理装置において、前記対向部材が、前記磁気ヘッドが接触する磁気記録媒体の面の反対面に接触する第２の磁気ヘッドであることを特徴とする。
【００１３】
この発明によれば、磁気カード処理装置のメンテナンス時に、対向部材である第２の磁気ヘッドを退避位置に移動して磁気ヘッドの接触面を露出させることができる。また、退避させた第２の磁気ヘッドの接触面についても、同様に露出させることができ、接触面の摩耗状況を容易に確認することができると共に、接触面の清掃を容易に行うことができる。
【００１６】
本発明の磁気カード処理装置において、前記ロック部材が、磁気カード処理装置の枠体に固定された係止部に係合する係合部と、当該係合部と前記係止部との間に相対的な付勢力を与えるバネと、を備えることを特徴とする。
【００１７】
この発明によれば、ロック部材が、磁気カード処理装置の枠体に固定された係止部に係合する係合部と、その係合部と係止部との間に相対的な付勢力を与えるバネとを備えるので、係合部を係止部から外して対向部材を退避させ、磁気カード処理装置のメンテナンスを行うことができる。また、磁気カード処理装置のメンテナンス終了時には、係合部を係止部に係合することにより、対向部材を使用位置に戻して固定することができる。なお、この際、対向部材に設けられているバネは、係合部と係止部との間に相対的な付勢力を与えているので、係合部が係止部に係合した後においては、バネの力によって係合部と係止部とが相対的に付勢され、対向部材が所定位置に固定される。なお、バネにより与えられる係合部と係止部との間の相対的な付勢力とは、係合部を係止部側に付勢する形態と、係止部を係合部側に付勢する形態とが挙げられる。
【００１８】
本発明の磁気カード処理装置において、前記保持部材により前記対向部材が前記使用位置に保持されていることを示す信号を出力するセンサを備えたことを特徴とする。
【００１９】
この発明によれば、保持部材により対向部材が使用位置に保持されていることを示す信号を出力するセンサを備えたので、上位の装置は、対向部材が使用位置に固定されている場合にのみ磁気カード処理装置の動作を実行するようにプログラミングすることができる。その結果、対向部材の固定忘れによる不具合の発生を防止することができる。
【発明の効果】
【００２０】
本発明の磁気カード処理装置によれば、磁気カード処理装置のメンテナンス時に、対向部材を退避位置に移動して磁気ヘッドの接触面を露出させることができるので、磁気ヘッドの接触面の摩耗状況を容易に確認することができると共に、磁気ヘッドの接触面の清掃を容易に行うことができる。また、磁気カード処理装置内に磁気記録媒体が詰まった場合であっても、詰まった磁気記録媒体を容易に発見し、且つ容易に取り除くことができる。
【発明を実施するための最良の形態】
【００２１】
以下、本発明の磁気ヘッド処理装置について、図面を参照しつつ説明する。なお、本発明は、その技術的特徴を有する範囲において、以下の説明及び図面に限定されるものではない。
【００２２】
本発明の磁気カード処理装置１０，１１０は、図１〜図５に示すように、カード型の磁気記録媒体８に接触して磁気データの読み取り／書き込みを行う磁気ヘッド２２と、その磁気ヘッド２２に対向して設けられ、磁気記録媒体８を磁気ヘッド２２に接触させる対向部材（２６，２４）と、その対向部材（２６，２４）を保持し、その対向部材（２６，２４）を使用位置に固定すると共に対向部材（２６，２４）を退避位置に移動して磁気ヘッド２２の接触面を露出させる保持部材４０，１４０とを備えている。本発明の磁気カード処理装置においては、対向部材として、図１〜図４に示すパッドローラ２６を用いた場合を第１形態とし、図５に示す第２の磁気ヘッド２４を用いた場合を第２形態として、以下に説明する。
【００２３】
（第１形態に係る磁気カード処理装置）
図１は、本発明の第１形態に係る磁気カード処理装置の一例を示す平面図であり、図２は、図１に示す磁気カード処理装置の正面図である。
【００２４】
磁気カード処理装置１０は、利用者が、クレジットカード、プリペイドカード、キャッシュカード等のカード型の磁気記録媒体８を記録媒体取入口１４に挿入すると、磁気記録媒体８が磁気カード処理装置１０の搬送路１２に沿って搬入され、磁気記録媒体８の磁気ストライプ６に記録されている各種の情報を読み取って、金銭の支払い、預け入れ、振り込み等の処理を行う機能を有するユニットである。本発明は、こうした基本的性能を有するものに対して適用され、下記に説明する内容に限定解釈されるものではない。
【００２５】
磁気カード処理装置１０には、例えば、磁気記録媒体８が挿入される記録媒体取入口１４と、挿入された磁気記録媒体８を搬送路１２に沿って搬送するための搬送ローラ１６及び従動ローラ１７と、挿入された磁気記録媒体８の大きさや存在位置を確認する複数のフォトセンサ１８と、磁気ストライプ６に記録されている各種の情報等の読み取り／書き込みを行う磁気ヘッド（以下、第１の磁気ヘッド２２という。）と、磁気記録媒体８を第１の磁気ヘッド２２に押し付けて接触させるパッドローラ２６とが設けられている。なお、本願において、「読み取り／書き込み」とは、読み取り及び／又は書き込みを意味する。
【００２６】
磁気カード処理装置１０の記録媒体取入口１４付近には、通常、磁気記録媒体８が挿入されたことを検出する挿入センサ３０が配置されている。この挿入センサ３０は、利用者が磁気記録媒体８を記録媒体取入口１４に挿入したことを検出し、その挿入センサ３０で検出された信号は、磁気カード処理装置１０の制御手段９８に伝達される。
【００２７】
磁気カード処理装置１０には、図２に示すように、送りドライバ８４と送りモータ３４とが備えられている。送りドライバ８４は、制御手段９８から入力した回転速度信号又は位置信号に基づいて、送りモータ３４の駆動信号を出力する。送りモータ３４は、送りドライバ８４から入力した駆動信号に基づいてタイミングベルト等の伝達手段を介して搬送ローラ１６を回転させる。そして、送りドライバ８４と送りモータ３４とによる磁気記録媒体８の送りは、制御手段９８の指令に基づいて制御することができるようになっている。
【００２８】
挿入センサ３０が磁気記録媒体８の挿入を検出すると、制御手段９８は、搬送ローラ１６を回転させる信号を送りドライバ８４に出力する。この出力により、送りモータ３４は、磁気記録媒体８を磁気カード処理装置１０の奥側に搬入する処理を行う。
【００２９】
搬送ローラ１６は、磁気記録媒体８と接触し、磁気記録媒体８を搬送路１２に沿って搬入、排出をするための搬送を行う。この搬送ローラ１６によって、第１の磁気ヘッド２２と磁気記録媒体８とが相対的に摺動するうように接触し、磁気ヘッド２２によって、磁気データの読み取り／書き込みが行われる。なお、本願において「接触」とは、磁気ヘッド２２と磁気記録媒体８とが相対的に摺動するうように接触する場合の他、磁気ヘッド２２と磁気記録媒体８とが相互に押圧された状態で接触する場合をいう。
【００３０】
第１の磁気ヘッド２２の入出力端子は、ヘッドアンプ８８の入出力端子に接続されている。ヘッドアンプ８８は磁気記録媒体８を搬送しながら記録信号を第１の磁気ヘッド２２に出力する。これにより、各種情報を磁気ストライプ６に記録することができる。
【００３１】
また、磁気データを読み取る場合には、磁気記録媒体８が搬送路１２に沿って搬送されると、磁気ストライプ６に記録されている各種の情報信号が第１の磁気ヘッド２２から出力される。ヘッドアンプ８８はその情報信号を増幅し、イコライジング、フィルタリング等の処理を行った後に制御手段９８又は外部に出力する。
【００３２】
第１の磁気ヘッド２２は、図２に示すように、ヘッドブラケット６２に接着等により固定されると共に、磁気記録媒体８の磁気ストライプ６面に対して垂直方向に変位自在となるように保持されている。
【００３３】
ヘッドブラケット６２にはピン孔６６，６８が設けられている。このピン孔６６，６８は、ガイドピン７０，７２と協働して、磁気ストライプ６面に対して垂直方向に第１の磁気ヘッド２２を変位自在に保持する。さらに、そのピン孔６６，６８は、ガイドピン７０，７２と協働して、第１の磁気ヘッド２２を磁気記録媒体８の磁気ストライプ６面に接触させるように所定の位置に定めると共に第１の磁気ヘッド２２のギャップの傾斜角を磁気ストライプ６に記録されている磁極に合わせる。
【００３４】
ガイドピン７０，７２は、上記のピン孔６６，６８と協働して、第１の磁気ヘッド２２を磁気記録媒体８の磁気ストライプ６の面内の所定の位置に定め、第１の磁気ヘッド２２のギャップを磁気ストライプ６に記録されている磁極に対して所定の傾斜角に定めると共に、磁気ストライプ６面に対して垂直の方向に第１の磁気ヘッド２２を変位自在に保持する機能を有する。
【００３５】
ヘッドブラケット６２は、押圧バネ７６の付勢力によって第１の磁気ヘッド２２を磁気記録媒体８の方向に押圧している。これにより、磁気記録媒体８が湾曲している場合であっても、第１の磁気ヘッド２２を磁気記録媒体８に所定の力で安定して接触させることができるので、磁気情報の読み出し／書き込みを、より確実に行うことができる。なお、図２に示す例では、第１の磁気ヘッド２２の垂直方向の変位を制限するストロークストッパ７８を設けてある。
【００３６】
次に、パッドローラとその動作並びに保持部材について説明する。図３は、対向部材であるパッドローラ２６が使用位置に固定されたときの形態であり、図４は、対向部材であるパッドローラ２６が退避位置に移動したときの形態である。
【００３７】
パッドローラ２６は、図１〜図４に示すように、保持部材４０に回転自在に保持されている。このパッドローラ２６は、駆動機構を持たない従動ローラであるが、自ら磁気記録媒体８を駆動する駆動ローラ機能を備えたものであってもよい。また、対向部材としてみた場合、パッドローラ２６の代わりに、ローラ機能のない接触潤滑性部材（パッド部材）を設けてもよく、その場合にも本発明の目的を達成することが可能である。
【００３８】
保持部材４０は、パッドローラ２６を保持し、磁気記録媒体８を第１の磁気ヘッド２２に接触させる位置にパッドローラ２６を固定すると共に、パッドローラ２６を退避位置に移動して第１の磁気ヘッド２２の接触面を露出させる部材である。この保持部材４０は、例えば、パッドローラ２６を回動して変位させる回動軸４２を一端に備え、その回動軸４２とは反対側の他端にロック部材４４を備えた構造を例示できる。
【００３９】
回動軸４２を中心にしてパッドローラ２６を変位させることができる回動角は特に限定されないが、第１の磁気ヘッド２２及びパッドローラ２６の汚れを十分に確認できる程度に露出できる角度であることが好ましい。なお、その角度は、本実施形態では、磁気記録媒体８が搬送される搬送仮想面に対して約９０°であることが好ましい。
【００４０】
ロック部材４４としては、図３に示すように、パッドローラ２６を所定の使用位置に固定した際に、パッドローラ２６を磁気カード処理装置１０の枠体に固定された係止部４６に係合するカギ状の係合部４８と、そのカギ状の係合部４８と係止部４６との間に相対的な付勢力を与えるバネ５４とを備えた構造を例示できる。係合部４８と係止部４６は、相互に例えば凹凸の係合関係であればよく、図３に示すように、係合部４８がカギ状の凸部であり、係止部４６が凹部であってもよいし、図示しないが、係合部４８が凹部であり、係止部４６がカギ状の凸部であってもよい。なお、バネ５４により与えられる係合部４８と係止部４６との間の相対的な付勢力とは、係合部４８を係止部４６側に付勢する形態（図３を参照）と、係止部４６を係合部４８側に付勢する形態（図示しない）とが挙げられる。
【００４１】
さらに、このロック部材４４は、パッドローラ２６を使用位置に固定する際に係合部４８を一旦逃がす働きをする導入部５０と、このロック部材４４自体を回動自在に保持する回動軸５２と、後述するセンサ６０の光軸を遮光してパッドローラ２６が使用位置に保持されたことを示す信号出力に利用される遮蔽板５８とが設けられた構造を例示できる。
【００４２】
図３に示すように、パッドローラ２６が使用位置に保持された場合には、係合部４８が係止部４６に係合しているため、パッドローラ２６は、押圧バネ７６（図２参照）の付勢力によって第１の磁気ヘッド２２が磁気記録媒体８の方向に押圧した力を受け止める。これより、第１の磁気ヘッド２２と磁気記録媒体８との接触がより確実になっている。この状態では、透光式のセンサ６０の光が、遮蔽板５８によって遮光されている。そのため、制御手段９８等の上位の装置は、保持部材４０がパッドローラ２６を使用位置に保持していることを検出することができる。
【００４３】
なお、バネ５４は、係合部４８と係止部４６との間に相対的な付勢力を与えている。具体的には、バネ５４は、ロック部材４４の係合部４８を係止部４６側に付勢する力を与えている。その結果、保持部材４０は使用位置にロックされた状態になり、パッドローラ２６が使用位置に固定される。
【００４４】
また、センサ６０は、保持部材４０によりパッドローラ２６が使用位置に保持されていることを示す信号を出力するものである。図３において、センサ６０はセンサ取付部材６１に取付られ、そのセンサ取付部材６１は磁気カード処理装置１０の枠体に設けられているが、センサ６０が磁気カード処理装置１０の枠体に直接設けられていても構わない。また、センサ６０としては、フォトセンサに限らず、圧力センサやリーフスイッチによる構成でもよく、保持部材４０の位置を検出可能であれば、保持部材４０に設けてもよい。
【００４５】
パッドローラ２６を使用位置から退避位置に移動する場合には、作業者は、ロック部材４４に設けられている指掛け５６を、バネ５４の付勢力に打ち勝つように押す。すると、ロック部材４４は回動軸５２を中心に回動し、係合部４８が係止部４６から外れる。その状態で保持部材４０を持ち上げると、図４に示すように、保持部材４０を退避位置に移動できる。
【００４６】
保持部材４０を退避位置に移動すると、第１の磁気ヘッド２２の接触面を露出させることができる。この状態では、第１の磁気ヘッド２２の接触面の上方は開放されるので、第１の磁気ヘッド２２の接触面へのアクセスが容易となり、摩耗状況の確認を容易に行うことができると共に、第１の磁気ヘッド２２の接触面の清掃を容易に行うことができる。さらに、磁気カード処理装置１０内に磁気記録媒体８が詰まった場合であっても、詰まった磁気記録媒体８を容易に発見し、且つ容易に取り除くことができる。
【００４７】
保持部材４０を退避位置から使用位置に戻す場合には、保持部材４０をそのまま使用位置に倒すだけでよい。保持部材４０のロック部材４４には、斜めに加工した導入部５０を設けてあるので、この導入部５０が磁気カード処理装置１０の枠体に設けられた係止部４６に自動的に乗り上がり、係合部４８を一旦逃がす動作をする。保持部材４０が使用位置に固定されると、バネ５４の付勢力によって、係合部４８が係止部４６側に付勢されて係合し、保持部材４０が使用位置にロックされる。
【００４８】
このように、本発明の磁気カード処理装置１０によれば、パッドローラ２６からなる対向部材を保持する保持部材４０を使用位置から退避位置に移動させることができるので、第１の磁気ヘッド２２を露出させることができる。その結果、磁気ヘッド２２の接触面の点検及び清掃作業等のメンテナンスを容易に行うことができる。
【００４９】
（第２形態に係る磁気カード処理装置）
図５は、対向部材として第２の磁気ヘッド２４を用いた本発明の第２形態に係る磁気カード処理装置１１０の一例であり、第２の磁気ヘッド２４が退避位置に移動したときの形態である。この第２形態に係る磁気カード処理装置１１０は、対向部材を第２の磁気ヘッド２４に変更した以外は、上述した第１形態に係る磁気カード処理装置１０と同じであるので、以下においてはその説明を省略する。
【００５０】
対向部材である第２の磁気ヘッド２４は、上述した第１の磁気ヘッド２２が接触する磁気記録媒体８の面の反対面に接触し、その反対面に設けられている磁気ストライプの磁気データの読み取り／書き込みを行う磁気ヘッドである。したがって、この第２形態に係る磁気カード処理装置１１０は、両面に磁気ストライプを有する磁気記録媒体８に対応したものである。
【００５１】
この形態によれば、第２の磁気ヘッド２４を保持する保持部材１４０を使用位置に固定すると共に、第２の磁気ヘッド２４の接触面を露出させるように退避位置に移動することができるので、メンテナンス時に、保持部材１４０を退避位置に移動することによって、第１の磁気ヘッド２２及び第２の磁気ヘッド２４の接触面を露出させることができる。その結果、第１の磁気ヘッド２２及び第２の磁気ヘッド２４の接触面の点検及び清掃作業を容易に行うことができる。また、磁気記録媒体が磁気カード処理装置１１０の内部に詰まった場合であっても、詰まった磁気記録媒体を容易に取り除くことができる。
【図面の簡単な説明】
【００５２】
【図１】本発明の第１形態に係る磁気カード処理装置の一例を示す平面図である。
【図２】図１に示す磁気カード処理装置の正面図である。
【図３】対向部材であるパッドローラが使用位置に固定されたときの形態である。
【図４】対向部材であるパッドローラが退避位置に移動したときの形態である。
【図５】対向部材として第２の磁気ヘッドを用いた本発明の第２形態に係る磁気カード処理装置の一例であり、第２の磁気ヘッドが退避位置に移動したときの形態である。
【符号の説明】
【００５３】
６  磁気ストライプ
８  磁気記録媒体
１０，１１０  磁気カード処理装置
１２  搬送路
１４  記録媒体取入口
１６  搬送ローラ
１８  フォトセンサ
２２  第１の磁気ヘッド
２４  第２の磁気ヘッド
２６  パッドローラ
３０  挿入センサ
３４  送りモータ
４０，１４０  保持部材
４２  回動軸
４４  ロック部材
４６  係止部
４８  係合部
５０  導入部
５２  回動軸
５４  バネ
５６  指掛け
５８  遮蔽板
６０  センサ
６２  ヘッドブラケット
６６，６８  ピン孔
７０，７２  ガイドピン
７６  押圧バネ
７８  ストロークストッパ
８４  送りドライバ
８８  ヘッドアンプ
９８  制御手段
【図１】
0004691424.tif 000002
【図２】
0004691424.tif 000003
【図３】
0004691424.tif 000004
【図４】
0004691424.tif 000005
【図５】
0004691424.tif 000006